(57)【要約】【課題】共有媒体を効率的に使用するために、共有媒体をプライマリチャネルからセカンダリチャネルに移動させる基本帯域幅デバイスのための種々のシステムを提供する。【解決手段】セカンダリチャネルでは、基本帯域幅ＳＴＡが、高帯域幅物理レイヤプロトコルデータユニット（ＰＰＤＵ）の一部分としてアクセスポイント（ＡＰ）から送信された受信データを復元する広帯域モードで動作する。ＳＴＡ及びＡＰは基本サービスセット（ＢＳＳ）のメンバーとすることができる。高帯域幅ＰＰＤＵは、例えば、４０ＭＨｚ、６０ＭＨｚ、又は８０ＭＨｚのＰＰＤＵとすることができる。セカンダリチャネル上になると、ＳＴＡはＡＰに依存し、チャネルの感知及びスケジューリング活動を実行するので、ＳＴＡでの電力消費を低減し、ＢＳＳの効率性を向上するものである。いくつかのシグナリングフォーマットが、ＳＴＡが割り振られるセカンダリチャネル、又はＳＴＡが要求して移動させるセカンダリチャネルを示すために提供される。【選択図】図１Ａ
2018170759.tif 000002
【特許請求の範囲】
【請求項１】
無線ローカルエリアネットワーク（ＷＬＡＮ）アクセスポイント（ＡＰ）を含む基本サービスセット（ＢＳＳ）のＷＬＡＮステーション（ＳＴＡ）による方法であって、
前記ＳＴＡにおいて、
単一の物理レイヤプロトコルデータユニット（ＰＰＤＵ）を受信することと、
前記ＳＴＡによって、かつ前記単一のＰＰＤＵに応答して、セカンダリ周波数帯域内に存在する第１の複数の副搬送波上でアップリンクデータを送信することと、を含み、
前記ＰＰＤＵは、前記ＳＴＡ及び第２のＳＴＡにアドレス指定されており、
前記単一のＰＰＤＵは、第１の帯域幅を有するプライマリ周波数帯域を占有し、前記プライマリ周波数帯域が第１のチャネル識別子に関連付けられており、
前記単一のＰＰＤＵは、前記第１の帯域幅を有する前記セカンダリ周波数帯域を占有し、前記セカンダリ周波数帯域が第２のチャネル識別子に関連付けられており、
前記ＳＴＡは、前記第１の帯域幅によって特徴付けられた信号のみを復調するように構成されており、
前記ＰＰＤＵの第１のデータ部分は、前記ＳＴＡにアドレス指定され、前記第１のデータ部分は、前記第１の複数の副搬送波によって搬送され、
前記単一のＰＰＤＵはトリガーフレームを含む、方法。
【請求項２】
前記単一のＰＰＤＵを受信する前に、
前記ＳＴＡが前記セカンダリ周波数帯域で動作を始めるという要求を、前記ＳＴＡから前記ＡＰに送信することと、
前記ＳＴＡにおいて、前記要求を承認する肯定応答を、前記ＡＰから受信することと、を更に含む、請求項１に記載の方法。
【請求項３】
前記単一のＰＰＤＵを受信する前に、
前記ＳＴＡにおいて、前記ＳＴＡが前記セカンダリ周波数帯域で動作を始めるという要求を、前記ＡＰから受信することと、
前記ＳＴＡから前記ＡＰに前記要求を確定する肯定応答を送信することと、を更に含む、請求項１に記載の方法。
【請求項４】
前記要求は前記第２のチャネル識別子の指示を含む、請求項３に記載の方法。
【請求項５】
前記要求は、ｉ）動作モード指示、ｉｉ）目標起動時間（ＴＷＴ）情報、ｉｉｉ）アクションフレーム、及び／又はｉｖ）制御識別子値を含む、請求項４に記載の方法。
【請求項６】
無線ローカルエリアネットワーク（ＷＬＡＮ）ステーション（ＳＴＡ）であって、
メモリと、
１つ以上のプロセッサと、を備え、前記メモリは、
前記１つ以上のプロセッサによって実行されると、前記ＳＴＡに、
単一の物理レイヤプロトコルデータユニット（ＰＰＤＵ）をＷＬＡＮアクセスポイント（ＡＰ）から受信することであって、前記ＳＴＡ及び前記ＡＰが基本サービスセット（ＢＳＳ）のメンバーであるようにする、ことと、
前記ＳＴＡによって、かつ前記単一のＰＰＤＵに応答して、セカンダリ周波数帯域内に存在する第１の複数の副搬送波上でアップリンクデータを前記ＡＰに送信することと、を含む動作を実行させる、命令を含み、
前記ＰＰＤＵは、前記ＳＴＡ及び第２のＳＴＡにアドレス指定されており、
前記単一のＰＰＤＵは、第１の帯域幅を有するプライマリ周波数帯域を占有し、前記プライマリ周波数帯域が第１のチャネル識別子に関連付けられており、
前記単一のＰＰＤＵは、前記第１の帯域幅を有する前記セカンダリ周波数帯域を占有し、前記セカンダリ周波数帯域が第２のチャネル識別子に関連付けられており、
前記ＳＴＡは、前記第１の帯域幅によって特徴付けられた信号のみを復調するように構成されており、
前記ＰＰＤＵの第１のデータ部分は、前記ＳＴＡにアドレス指定され、前記第１のデータ部分は、前記第１の複数の副搬送波によって搬送され、
前記単一のＰＰＤＵはトリガーフレームを含む、ＳＴＡ。
【請求項７】
前記動作は、
前記単一のＰＰＤＵを受信する前に、
前記ＳＴＡが前記セカンダリ周波数帯域で動作を始めるという要求を、前記ＳＴＡから前記ＡＰに送信することと、
前記ＳＴＡにおいて、前記要求を承認する肯定応答を、前記ＡＰから受信することと、を更に含む、請求項６に記載のＳＴＡ。
【請求項８】
前記動作は、
前記単一のＰＰＤＵを受信する前に、
前記ＳＴＡにおいて、前記ＳＴＡが前記セカンダリ周波数帯域で動作を始めるという要求を、前記ＡＰから受信することと、
前記要求を確定する肯定応答を、前記ＳＴＡから前記ＡＰに送信することと、を更に含む、請求項６に記載のＳＴＡ。
【請求項９】
前記要求は前記第２のチャネル識別子の指示を含む、請求項８に記載のＳＴＡ。
【請求項１０】
前記要求は、ｉ）動作モード指示、ｉｉ）目標起動時間（ＴＷＴ）情報、ｉｉｉ）アクションフレーム、及び／又はｉｖ）制御識別子値を含む、請求項９に記載のＳＴＡ。
【請求項１１】
基本サービスセット（ＢＳＳ）の無線ローカルエリアネットワーク（ＷＬＡＮ）アクセスポイント（ＡＰ）による方法であって、
前記ＡＰにおいて、
単一の物理レイヤプロトコルデータユニット（ＰＰＤＵ）を第１のＷＬＡＮステーション（ＳＴＡ）及び第２のＳＴＡに送信することと、
前記単一のＰＰＤＵに応答して、前記第１のＳＴＡから、第１の帯域幅を有するセカンダリ周波数帯域内に存在する第１の複数の副搬送波上でアップリンクデータを受信することと、を含み、
前記第１及び第２のＳＴＡは前記ＢＳＳのメンバーであり、
前記単一のＰＰＤＵは、前記第１の帯域幅を有するプライマリ周波数帯域を占有し、前記プライマリ周波数帯域が第１のチャネル識別子に関連付けられており、
前記単一のＰＰＤＵは前記セカンダリ周波数帯域を占有し、前記セカンダリ周波数帯域が第２のチャネル識別子に関連付けられており、
前記第１のＳＴＡは、前記第１の帯域幅によって特徴付けられた信号のみを復調するように構成されており、
前記ＰＰＤＵの第１のデータ部分は、前記第１のＳＴＡにアドレス指定され、前記第１のデータ部分は、前記第１の複数の副搬送波によって搬送され、
前記単一のＰＰＤＵはトリガーフレームを含む、方法。
【請求項１２】
前記単一のＰＰＤＵを送信する前に、
前記第１のＳＴＡが前記セカンダリ周波数帯域で動作を始めるという要求を、前記第１のＳＴＡから受信することと、
前記要求を承認する肯定応答を、前記第１のＳＴＡに送信することと、を更に含む、請求項１１に記載の方法。
【請求項１３】
前記第１のＳＴＡは、米国電気電子学会（ＩＥＥＥ）によって規定された高効率（ＨＥ）ＳＴＡ、又はＷｉ−Ｆｉアライアンス（Ｗｉ−Ｆｉ）認証に準拠する無線通信デバイスを含む、請求項１１に記載の方法。
【請求項１４】
前記第１の帯域幅は２０ＭＨｚである、請求項１１に記載の方法。
【請求項１５】
前記プライマリ周波数帯域を占有する前記単一のＰＰＤＵ内のリソースユニット（ＲＵ）は、プリアンブルの少なくとも一部、それに続く、ダミーペイロードの少なくとも一部を含む、請求項１１に記載の方法。
【請求項１６】
前記単一のＰＰＤＵを送信する前に、
前記第１のＳＴＡが前記セカンダリ周波数帯域で動作を始めるという要求を、前記第１のＳＴＡに送信することと、
肯定応答を含む第１のメッセージを、前記第１のＳＴＡから受信することと、
前記要求を確定する第２のメッセージを、前記第１のＳＴＡから受信することと、を更に含む、請求項１１に記載の方法。
【請求項１７】
前記要求は、ｉ）動作モード指示、ｉｉ）目標起動時間（ＴＷＴ）情報、ｉｉｉ）アクションフレーム、ｉｖ）前記第２のチャネル識別子、及び／又はｖ）制御識別子値を含む、請求項１６に記載の方法。
【請求項１８】
前記第１のチャネル識別子は、１６０ＭＨｚ帯域幅内の８つの２０ＭＨｚチャネルのうち第１の２０ＭＨｚチャネルに対応する、請求項１１に記載の方法。
【請求項１９】
前記第２のチャネル識別子は、前記１６０ＭＨｚ帯域幅内の前記８つの２０ＭＨｚチャネルのうち第２の２０ＭＨｚチャネルに対応する、請求項１８に記載の方法。
【請求項２０】
前記第１及び第２の２０ＭＨｚチャネルの間の周波数には、他の２０ＭＨｚチャネルはない、請求項１９に記載の方法。
【発明の詳細な説明】
【技術分野】
【０００１】
記載する実施形態は、例えば、共有媒体を効率的に使用するために、共有媒体をプライマリチャネルからセカンダリチャネルに移動させる基本帯域幅デバイスを含む、無線通信に関する。
【背景技術】
【０００２】
無線ローカルエリアネットワーク（ＷＬＡＮ）は、多くの場合、アクセスポイント（ＡＰ）及び１つ以上のＷＬＡＮステーション（ＳＴＡ）を含んでいる。ＡＰ及びＳＴＡは、共通の無線媒体を共有しているので、その媒体上の送信と衝突は共通である。米国電気電子学会（ＩＥＥＥ）は、ＷＬＡＮ媒体アクセス制御（ＭＡＣ）レイヤ及び物理（ＰＨＹ）レイヤの規格を規定している。この規格の最新バージョンは、ＩＥＥＥ  Ｓｔｄ  ８０２．１１（商標）−２０１２、２０１２年３月２９日「第１１部：無線ＬＡＮ媒体アクセス制御（ＭＡＣ）及び物理レイヤ（ＰＨＹ）仕様」（以下、「ＩＥＥＥ  ８０２．１１」）である。ＳＴＡは、ＩＥＥＥ  ８０２．１１規格のアドレス指定可能なユニットである。ＩＥＥＥ  ８０２．１１用に提案された、いくつかの追加の特徴は、「ＩＥＥＥ  Ｐ８０２．１１無線ＬＡＮＳ、提案ＴＧａｘドラフト仕様、文書番号ＩＥＥＥ  ８０２．１１−１６／００２４ｒ１」２０１６年３月２日（以下、「ＴＧＡＸ」）に示されている。他の無線ローカルエリアネットワーク標準化方式及び活動も存在している。例えば、第３世代パートナーシッププロジェクト（３ＧＰＰ）は、非ライセンススペクトル（unlicensed spectrum）に対し、ＬＡＡ（Ｌｉｃｅｎｓｅ  Ａｓｓｉｓｔｅｄ  Ａｃｃｅｓｓ）として既知のコンセプトを作成している。
【０００３】
ＡＰは、インターネットなどの別のネットワークまでの、関連ＳＴＡのための、無線媒体（ＷＭ）を介したアクセスを提供する物理的又は仮想デバイスである。ＷＬＡＮ内のデバイスは共有ＷＭを介してそれぞれと通信する。ＳＴＡは、共有ＷＭ上で送信、受信かつ／又は互いに干渉する。ＳＴＡは、他のＳＴＡからの送信を直接検出できる場合、別のＳＴＡの範囲内にある。
【発明の概要】
【０００４】
本明細書で説明する、代表的な実施形態は、例えば、共有媒体を効率的に使用するために、共有媒体をプライマリチャネルからセカンダリチャネルに移動させる基本帯域幅デバイスのための種々のシステム及び技法を開示する。
【０００５】
一部の実施形態では、２０ＭＨｚのＳＴＡ（すなわち、単一の２０ＭＨｚチャネル上で動作するＳＴＡ）などの基本デバイスは、１つ以上のセカンダリ２０ＭＨｚチャネル上で少なくとも一部の時間で動作するようにシグナリングに参加するように構成されている。他の時間においては、２０ＭＨｚのＳＴＡはプライマリチャネル上で動作することができる。２０ＭＨｚは、基本デバイスの例示の帯域幅であり、一般に、基本ＳＴＡの帯域幅は本明細書では、「基本帯域幅」と称され、他のデバイスは、「高帯域幅」と呼ばれるものをサポートする。本明細書に開示する技法及びプロセスは、帯域幅の他の割り当てに等しく適用できる。ＳＴＡが使用するセカンダリチャネルを示すシグナリングが、例えば、動作モード指示予約ビット、目標起動時間チャネル値で、ＭＡＣヘッダ内の制御フィールド内の制御識別子、又はアクションフレーム内の情報要素を用いて実行され得る。
【０００６】
本明細書に提供される一部の実施形態は、１つ以上の基本帯域幅ＳＴＡだけは保留中のトラフィックを有するが、１つ以上の高帯域幅ＳＴＡは保留中のトラフィックを有しないという状況を対処するものである。ダウンリンクでは、セカンダリチャネルにチューンされた基本ＳＴＡのみがトラフィックを有するときの送信時間中、ＡＰは、その送信時間中、プライマリチャネルで少なくともプリアンブルを送信することができる。一部の実装形態では、プリアンブルの後に、例えば、ダミーペイロードが続くことができる。
【０００７】
本明細書に提示される一部の実施形態でも、トリガーフレームは、利用可能なリソースユニット（ＲＵ）のすべてに対し、それに対応するアップリンク（ＵＬ）トラフィック要求がない場合は、全帯域幅に対してＲＵを割り当てる必要はない。
【０００８】
この概要は、本明細書で説明する主題のいくつかの態様の基本的理解を提供するために、一部の例示的実施形態を要約することを目的として提供されるものにすぎない。したがって、上述の特徴は、単なる例であって、いかなる方式でも、本明細書で説明される主題の範囲又は趣旨を狭めるものとして解釈すべきではないことを理解されたい。説明される主題の他の特徴、態様、及び利点は、以下の「発明を実施するための形態」、図面、及び「特許請求の範囲」から明らかになるであろう。
【０００９】
含まれる図面は例証を目的とし、単一の２０ＭＨｚチャネル上で動作するＳＴＡによるセカンダリ２０ＭＨｚチャネルの使用を含む、ＳＴＡによるインテリジェントで効果的にチャネルアクセスを管理するための開示されたシステム及び技法の可能性のある構造及び構成の例を提供するためだけに機能する。これらの図面は、当業者により、本実施形態の趣旨及び範囲から逸脱することなく、実施形態に対してなされ得る形態及び詳細のいかなる変更をも制限するものではない。本実施形態は、添付の図面と共に下記の「発明を実施するための形態」を読むことによって容易に理解でき、類似の参照番号は類似の構造要素を指す。
【図面の簡単な説明】
【００１０】
【図１Ａ】一部の実施形態に係る、いくつかのＳＴＡとＷＭ上で通信しているＡＰを含む例示のシステム（基本サービスセット、ＢＳＳ）を示す図である。
【図１Ｂ】一部の実施形態に係る、図１ＡのＢＳＳと別の例示のＢＳＳを示す図である。
【図２】一部の実施形態に係る、高帯域幅態様及び基本帯域幅態様を含む第１及び第２のチャネル上の例示的な送信イベントを示す図である。
【図３】ＷＭへのアクセスを巡って競合する例示の基本帯域幅ＳＴＡを示す図である。
【図４Ａ】ＴＧＡＸに説明するように、例示の２０ＭＨｚ及び４０ＭＨｚのトーンプランを示す図である。
【図４Ｂ】ＴＧＡＸに説明するように、例示の２０ＭＨｚ及び４０ＭＨｚのトーンプランを示す図である。
【図５】一部の実施形態に係る、ＢＳＳの基本帯域幅ＳＴＡの例示的な論理及び、ＢＳＳのＡＰと協同して、プライマリチャネルからセカンダリチャネルに移動させる論理を示す図である。
【図６】一部の実施形態に係る、図５の論理を用いた例示的なダウンリンク（ＤＬ）送信イベントを示す図である。
【図７】一部の実施形態に係る、プライマリチャネルからセカンダリチャネルに移動する基本帯域幅ＳＴＡを含む、例示的なＤＬ及びアップリンク（ＵＬ）送信イベントを示す図である。
【図８】一部の実施形態に係る、プライマリチャネルからセカンダリチャネルに移動する基本帯域幅ＳＴＡを含み、目標起動時間（ＴＷＴ）が備えられている例示的なＤＬ送信イベントを示す図である。
【図９Ａ】一部の実施形態に係る、例示的なＭＡＣフレームフォーマットを示す図である。
【図９Ｂ】一部の実施形態に係る、セカンダリチャネル識別子をシグナリングする例示的な動作モードを含む例示的なＭＡＣフレーム情報を示す図である。
【図９Ｃ】一部の実施形態に係る、セカンダリチャネル識別子及び起動時間をシグナリングするための例示的なＴＷＴ情報を含む例示的なＭＡＣフレーム情報を示す図である。
【図９Ｄ】一部の実施形態に係る、セカンダリチャネル識別子をシグナリングするための例示的な制御識別子を含む例示的なＭＡＣフレーム情報を示す図である。
【図９Ｅ】一部の実施形態に係る、セカンダリチャネル識別子をシグナリングするための例示的なアクションフレーム、ＭＡＣフレームのタイプを示す図である。
【図１０】本明細書に開示する実施形態の実装のための例示的な装置を示す図である。
【発明を実施するための形態】
【００１１】
ＷＭの現在かつ将来の使用に関する情報の取得及び／又は判定は、本明細書に説明する代表的な実施形態によって対処される。換言すると、２０ＭＨｚのＳＴＡ（すなわち、単一の２０ＭＨｚチャネル上で動作するＳＴＡ）などの基本デバイスが少なくともいくつかの時間、１つ以上のセカンダリ２０ＭＨｚチャネル上で動作するようにシグナリングに参加する技法及び実施形態が提供される。他の時間においては、２０ＭＨｚのＳＴＡなどの基本デバイスはプライマリチャネル上で動作することができる。
【００１２】
基本サービスセット（ＢＳＳ）と称されるネットワークは、ＩＥＥＥ  ８０２．１１ＷＬＡＮの基本ビルディングブロックである。ＢＳＳに属する２つのＳＴＡは直接通信することができる。ＡＰは、ＳＴＡ機能性を有するとともにＩＥＥＥ  ８０２．１１規格の分配システム（ＤＳ）と称されるアーキテクチャコンポーネントへのアクセスを可能にする任意のエンティティである。ＡＰによって、所与のＳＴＡは、属するＢＳＳのカバレッジ領域外のエンティティと通信することができる。プライマリチャネルは、ＢＳＳのメンバーであるすべてのＳＴＡのための動作の共通のチャネルである。ビーコンはＡＰから送信された再来性の時間関連の管理フレームメッセージである。
【００１３】
さらに、ＳＴＡは送信前のデータをバッファすることができる。このデータは通常、トラフィックと称される。一般に、１種以上のトラフィックが存在する可能性があるので、ＳＴＡ内には１つ以上のバッファが存在する場合がある。それに加えて、異なるバッファに関連付けられた異なる緊急度、又は遅延許容度（それはサービスの品質すなわち、ＱｏＳと称される場合がある）が存在する場合がある。多くのトラフィックタイプに対して、チャネルアクセスの迅速な確立が必要とされる。
【００１４】
ＩＥＥＥ  ８０２．１１規格は様々なＰＨＹサービスも規定している。１つ以上のＰＨＹがこの規格内に規定されている。ＰＨＹは、物理レイヤコンバージェンス手順（ＰＬＣＰ）レイヤと、物理媒体依存（ＰＭＤ）機能を含むことができる。ＰＭＤは、２つ以上のＳＴＡ間でＷＭを通してデータを送信かつ受信する方法を規定する。
【００１５】
ＩＥＥＥ  ８０２．１１ａｃとして既知のＩＥＥＥ  ８０２．１１の修正案はマルチユーザマルチインプットマルチアウトプット（ＭＵ−ＭＩＭＯ）技法を記載している。ＩＥＥＥ  ８０２．１１ａｃのＭＵ−ＭＩＭＯでは、１つ以上のアンテナを有するＡＰ又はＳＴＡは、同じ無線周波数上で複数の受信ＳＴＡにＰＰＤＵを送信し、それぞれの受信ＳＴＡは同時に１つ以上の時空間ストリーム（space−time stream）を受信する。ＩＥＥＥ  ８０２．１１ａｃは、２０ＭＨｚ、４０ＭＨｚ、及び８０ＭＨｚのプライマリチャネル帯域幅と、セカンダリ２０ＭＨｚチャネルを含んでいる。セカンダリ２０ＭＨｚチャネルはセカンダリチャネルと称される場合もある。プライマリチャネルとセカンダリチャネルは一緒に使用される場合がある。いくつかの周波数トポロジが可能である。ＩＥＥＥ  ８０２．１１ａｃは高スループット（ＨＴ）ＰＰＤＵ及び非常に高いスループット（ＶＨＴ）ＰＰＤＵの定義を含んでいる。
【００１６】
ＩＥＥＥ  ８０２．１１の１つのＰＨＹは、直角位相振幅変調（ＱＡＭ）及び二位相偏移変調（ＢＰＳＫ）の様々なレベルで変調された副搬送波を用いた直交周波数分割多重方式（ＯＦＤＭ）を実装する。直交周波数分割多元接続（ＯＦＤＭＡ）は、ＩＥＥＥ  ８０２．１１の修正案に基づいて計画されている。ＯＦＤＭＡの特定の態様が、「ＩＥＥＥ  ８０２．１１ａｘ」として既知のＩＥＥＥ  ８０２．１１規格に対する計画された修正案に記載されている。「ＴＧａｘ用の仕様フレームワーク、文書：ＩＥＥＥ  ８０２．１１−１５／０１３２ｒ１５、」２０１６年５月２５日（以下、「ＩＥＥＥ  ８０２．１１ａｘフレームワーク」）は、ＩＥＥＥ  ８０２．１１ａｘの開発用の計画されたトピック領域を概説する標準フレームワーク文書である。ＩＥＥＥ  ８０２．１１ａｘのいくつかの特徴は高効率（ＨＥ）に充てられるので、ＩＥＥＥ  ８０２．１１ａｘ内の一部のＭＡＣの定義は「ＨＥ」の接尾辞を有している。ＩＥＥＥ  ８０２．１１ａｘフレームワークの開発に続いて、ＩＥＥＥはＴＧＡＸを発行した。ＴＧＡＸでは、ＳＴＡはＤＬ及びＵＬのＯＦＤＭＡをサポートすることができる。ＴＧＡＸは、リソースユニット（ＲＵ）に基づいた２０ＭＨｚ、４０ＭＨｚ、及び８０ＭＨｚのＯＦＤＭＡトーンプランを記載する。２０ＭＨｚ及び４０ＭＨｚの説明のため、図４Ａ及び図４Ｂをそれぞれ参照してください。トーンはＯＦＤＭ副搬送波である。各ＲＵは、ＯＦＤＭＡトーンプランの帯域幅及びそのプラン内のＲＵ数に応じて、例えば、２６個のトーン、５２個のトーン、１０６個のトーン、２４２個のトーン、４８４個のトーン又は９９６個のトーンを含むことができる。２０ＭＨｚ  ＯＦＤＭＡトーンプラン上で送信するＳＴＡは、２０ＭＨｚチャネル上で送信すると称される場合がある。第１及び第２の２０ＭＨｚ  ＯＦＤＭＡトーンプラン上で送信するＡＰは、第１及び第２の２０ＭＨｚチャネル上で送信すると称される場合がある。ＯＦＤＭＡは多重アクセス方式であるので、２０ＭＨｚチャネル上で送信するＡＰは、異なるＲＵを用いて２０ＭＨｚチャネル上で同時に１つ、２つ、又はそれ以上の受信側ＳＴＡにアドレス指定している可能性がある。また、ＭＵ−ＭＩＭＯを用いて、ＡＰは、単一のＲＵを用いて、例えば、同一の時間に２つ以上のＳＴＡにアドレス指定することができる。
【００１７】
ＳＴＡは、ステーション管理エンティティ（ＳＭＥ）、ＭＡＣレイヤ管理エンティティ（ＭＬＭＥ）及び物理レイヤ管理エンティティ（ＰＬＭＥ）を含むことができる。また、レイヤ及びデバイスは、サービスアクセスポイント（ＳＡＰ）で規定された標準化されたプリミティブを用いて互いに通信することができる。レイヤ内のデータ及び／又は制御情報の単一のユニットは、プロトコルデータユニット（ＰＤＵ）と呼ばれる。例えば、物理レイヤコンバージェンス手順（ＰＬＣＰ）レイヤでのＰＤＵはＰＰＤＵと称される。
【００１８】
ＩＥＥＥ  ８０２．１１規格内のＭＡＣレイヤはＱｏＳファシリティをサポートする。特に、ＱｏＳファシリティは、様々な優先度の値をサポートすることができる。優先度の値は、ユーザ優先度（ＵＰ）と称される。例えば、ＳＴＡは、ＱｏＳ制御フィールドを用いてＡＰに、所与のトラフィックフローのＱｏＳ情報を知らせることができる。ＱｏＳ制御フィールドは、トラフィック識別子（ＴＩＤ）及びそのＴＩＤに対応するデータについてのバッファ情報を含むことができる。用語「トラフィック識別子」及び「ＴＩＤ」は本明細書では互換的に使用される。レイヤ間のＳＴＡ内の情報フローはＳＡＰを経由してもよい。また、ＳＡＰにわたって流れるユニットはＭＡＣサービスデータユニット（ＭＳＤＵ）と呼ばれ、ＴＩＤはＭＳＤＵと区別するラベルであり、ＭＡＣエンティティによってＱｏＳをサポートするのに使用される。さらに、ＴＩＤ値はトラフィックカテゴリ（ＴＣ）又はトラフィックストリーム（ＴＳ）を特定することができる。ＴＣは所与のリンク上での配信用のＭＳＤＵ間の別個のユーザ優先度（ＵＰ）を示すことができ、ＴＳは特定のトラフィック仕様（ＴＳＰＥＣ）内のＭＡＣに提供されたＱｏＳパラメータ値の配信対象となるＭＳＤＵのセットとすることができる。ＭＡＣレイヤのＱｏＳファシリティについての更なる詳細は、ＩＥＥＥ  ８０２．１１規格に記載されている。
【００１９】
ＩＥＥＥ  ８０２．１１ＭＡＣレイヤは、分散協調機能（ＤＣＦ）を介してＷＭにアクセスを与える。ＩＥＥＥ  ８０２．１１のメインアクセスメカニズムは、搬送波感知多重アクセス／衝突回避（ＣＳＭＡ／ＣＡ）として既知のＤＣＦである。あるＳＴＡが送信するために、別のＳＴＡが現在送信しているかを判定するために媒体を感知する。第１のＳＴＡは、ＣＳＭＡ／ＣＡを用いて第２のＳＴＡの存在を感知することができない場合、第２のＳＴＡは第１のＳＴＡに対して隠れているものと称される。ＷＭを感知しているＳＴＡが、ＷＭがビジーであることがわかると、そのＳＴＡは、例えば、現在の送信の終了まで送信しようとするのを延期する。送信しようとする前に、ＳＴＡはランダムバックオフ間隔を選択し、ＷＭがアイドル状態にある間、バックオフ間隔カウンタをデクリメントする。バックオフ間隔カウンタがゼロに達した後、ＷＭが依然としてアイドル状態にある場合、ＳＴＡは送信することができる。ＷＭへの衝突（例えば、隠れＳＴＡとの送信衝突）の可能性を更に低減するために、送信要求（ＲＴＳ：Request to Send）及び送信可（ＣＴＳ：Clear to Send）として知られる短い制御フレームを使用する場合がある。ＩＥＥＥ  ８０２．１１ａｃを含むＩＥＥＥ  ８０２．１１規格のこれらの手順は、本明細書では共有ＷＭプロトコルルール又はＷＭプロトコルルールと称される場合がある。
【００２０】
搬送波感知は物理的技法及び仮想的技法の両方を通して実行することができる。物理的技法は、クリアチャネル評価（ＣＣＡ）として知られており、エネルギー測定又は受信信号強度インジケータ（ＲＳＳＩ）測定を含むことができる。物理的技法はセンシングと称される。ネットワーク割り当てベクトル（ＮＡＶ）と呼ばれる状態変数又は値に基づく仮想ＣＳメカニズムは、ＷＭの差し迫った使用を告知する予約情報を分散することによって達成される。ＮＡＶは、データの実際の交換前の、ＲＴＳ／ＣＴＳフレーム内に告知されている持続時間情報に基づいてＷＭ上の将来のトラフィックの予測を提供する。持続時間情報はまた、多くのフレームのＭＡＣヘッダ内で利用可能である。観察されるフレームのデータの復調及び復元は受信と称される。ＣＳメカニズムは、ＮＡＶ状態及びＳＴＡの送信機状況を、媒体のビジー状態／アイドル状態を判定するための物理的ＣＳ（ＣＣＡ）と組み合わせる。ＮＡＶを、所与のレートでゼロまでカウントダウンするカウンタと考えてもよい。カウンタがゼロに達するか、又はＮＡＶがリセットされると、仮想ＣＳ指示は、チャネルがアイドルであることである。カウンタがゼロでないとき、ＣＳ指示は、チャネルがビジーであることである。
【００２１】
いくつかのＴＧＡＸフレームは非ＨＴ（高くないスループット）の複製ＰＰＤＵとして送信される。このことは、フレームは互いのコピーであることを意味する。このようなフレームは、すべてのチャネル内で同一のアドレスにアドレス指定され得る。応答中のＳＴＡ毎に命令があり、一部の実施形態では、応答中のＳＴＡは、それらのプライマリチャネル上で送信されたこのようなフレームを受信のみすることができる。
【００２２】
ＳＴＡ内のＭＡＣレイヤはＭＡＣフレームを構築することができる。ＭＡＣフレームは、ＭＡＣヘッダと、可変長フレームボディと、ＦＣＳと呼ばれる巡回冗長検査フィールドと、を含むことができる。ＭＡＣヘッダは、上述した持続時間フィールドのインスタンスと、アドレス情報とを含むことができる。ＭＡＣヘッダはまた、ＱｏＳ制御情報と、ＨＴ制御フィールド（ＨＴは高スループットの略語である）とを含むこともできる。ＱｏＳ制御情報は、もしあれば、ＱｏＳ制御フィールドとして知られるサブフィールド内にあってもよい。ＱｏＳ制御フィールドはまた、ＴＸＯＰ持続時間要求値又はキューサイズ値など、ＴＩＤに関連付けられたデータバッファに関連する情報も含むこともできる。ＩＥＥＥ  ８０２．１１ａｘフレームワークは、ＩＥＥＥ  ８０２．１１ａｘ仕様がＨＥ制御フィールドと呼ばれるＨＴ制御フィールドの変形例を有することになることを特定する。
【００２３】
拡張分散チャネルアクセス（ＥＤＣＡ）は、ＱｏＳをサポートするＳＴＡ及びＡＰによって使用される優先度の高いＣＳＭＡ／ＣＡアクセス方式である。ＥＤＣＡ内の送信機会（ＴＸＯＰ）は、ＷＭへのアクセスを許可するルールによって規定されている。ＷＭがＥＤＣＡを経由してアクセスされると、衝突しやすい可能性があるスケジュールされていない共有媒体であるので、通常、データを送信するＳＴＡによるＥＤＣＡの開始と、そのデータの成功した送信との間に遅延又はレイテンシが存在する。
【００２４】
ＩＥＥＥ  ８０２．１１規格はサービスと呼ばれる特徴の集合も記載している。ＩＥＥＥ  ８０２．１１ＷＬＡＮによって提供され得る２つの例示のサービスはＭＳＤＵ配信とＱｏＳトラフィックスケジューリングである。ＱｏＳトラフィックスケジューリングは、コンテンションベースか、又は制御チャネルアクセスによるものとすることができる。各ＴＸＯＰでは、ＩＥＥＥ  ８０２．１１ＳＴＡは、ＭＳＤＵ用のＴＳＰＥＣ内の、要求されたＵＰ及び／又はパラメータ値に基づいて送信用のフレームを選択することができる。
【００２５】
ＱｏＳ制御フィールドが、所与のＴＩＤの送信待ちに関連付けられたバッファされたトラフィックを示すために、ＳＴＡによってＡＰに送信され得る。受信ＡＰは、受信したＱｏＳ制御フィールドを用いて、制御チャネルアクセス、すなわち、ＡＰが受信したＱｏＳ制御フィールド内に示されたＴＩＤに関連付けられたデータの一部を、ＳＴＡが送信するアップリンク送信機会をスケジューリングすることができる。
【００２６】
ＴＧＡＸに従って、１つ以上のアドレス指定されたＳＴＡに対するリソース割り当て情報が、トリガーフレームと呼ばれる制御フレームで、ＡＰによって送信され得る。トリガーフレームはアップリンク（ＵＬ）マルチユーザ（ＭＵ）ＰＰＤＵを送信するＳＴＡを識別するのに十分な情報を伝達又は搬送することができ、トリガーフレームはトリガーフレームに続く特定の時間間隔で、これらのＵＬ  ＭＵ  ＰＰＤＵを送信するために、アドレス指定されたＳＴＡにリソースを割り当てることができる。ＵＬ  ＭＵ  ＰＰＤＵに寄与するＳＴＡのすべてからの送信は、トリガーフレームに示された時間に終了することができる。
【００２７】
トリガーフレームは、ＵＬ  ＭＵ送信にリソースを割り当てるとともに、トリガーフレームに続くＵＬ  ＭＵ送信を要請するのに使用される。ＭＵーＲＴＳフレームは、ＳＴＡがＣＴＳフレームに応答するのを要求することができる。ＳＴＡにアドレス指定されたユーザ別情報フィールド内のＲＵ割り当てサブフィールドは、ＣＴＳフレームがプライマリ２０ＭＨｚチャネル上で送信されるか、それとも別のチャネル上で送信されるかを示すことができる。ＭＵーＲＴＳフレームによってアドレス指定されたＳＴＡは、そのＭＵーＲＴＳフレームがそのＳＴＡをアドレス指定するユーザ別情報フィールドを有する場合で、かつその媒体がＣＳメカニズムに従ってアイドル状態にある場合、そのＭＵーＲＴＳフレームを含むＰＰＤＵの終了後、ＣＴＳ応答を送信することができる。
【００２８】
ＡＰは、それぞれのＳＴＡのバッファ状況を判定するため、ＴＧＡＸに従ってＳＴＡをポーリングすることができる。ポーリングの結果に基づいて、ＡＰは、ＳＴＡに対してリソースをスケジューリングすることができる。所与のＳＴＡは、ＱｏＳデータフレーム又はＱｏＳヌルデータフレームに応答することができる。スケジュールされたＳＴＡはその後、そのスケジュールされたリソースを用いてそれらのバッファからのデータの一部を送信することができる。
【００２９】
本明細書に記載される実施形態に係る装置、システム及び方法の代表的な用途が、この項において提示される。これらの例は、更なる前後関係を提供し、説明する実施形態の理解を助けることのみを目的として提供される。したがって、これらの具体的な詳細のうちの一部又は全てを使用することなく、ここで説明される実施形態を実践できることが、当業者には明らかであろう。他の例では、ここで説明される実施形態を不必要に不明瞭化するのを回避するために、周知のプロセス工程は詳細には説明されていない。他の適用例が可能であり、以下の実施例は限定的なものとして解釈されるべきではない。
【００３０】
無線デバイス、及び特にモバイルデバイスは、複数の異なる無線アクセス技術（ＲＡＴ）を内蔵し、異なるサービス及び／又は機能を施す異なる無線ネットワークを通じて接続を提供することができる。無線デバイスは、Ｂｌｕｅｔｏｏｔｈ（登録商標）特別利益団体（「ＳＩＧ」）及び／又はＡｐｐｌｅ  Ｗｉｒｅｌｅｓｓ  Ｄｉｒｅｃｔ  Ｌｉｎｋ（ＡＷＤＬ）と称されるＡｐｐｌｅによって開発されたものによって標準化されたものなど、無線パーソナルエリアネットワーク（「ＷＰＡＮ」）通信プロトコルに従ってＷＰＡＮをサポートするハードウェア及びソフトウェアを含むことができる。無線デバイスは、互換性のある周辺機器無線デバイスを発見でき、ＷＰＡＮを通じた特定の通信サービスを提供するために、これらの周辺機器無線デバイスとの接続を確立することができる。いくつかの状況では、無線デバイスは、無線デバイス上で実行される様々なアプリケーションがサポートできる多種多様のサービスに、無線ローカルエリアネットワーク（「ＷＬＡＮ」）及び／又は無線ワイドエリアネットワーク（「ＷＷＡＮ」）を通じてアクセスを提供する通信ハブとして作用することができる。したがって、例えば、ＷＷＡＮ通信なしの、かつ／又はそのために構成されていない、アクセサリ無線デバイス用の通信機能は、ＷＷＡＮ接続を提供するコンパニオン無線デバイスへのローカルＷＰＡＮ（又はＷＬＡＮ）接続を用いて拡張され得る。あるいは、アクセサリ無線デバイスはまた、ＷＬＡＮ接続用の無線回路を含むこともでき、ＷＬＡＮ接続を介した接続を開始かつ／又は終了させることができる。直接接続を使用するか、それとも（例えば、コンパニオンデバイスを通じた）中継接続を使用するかは、アクセサリ無線デバイスとリモートデバイスとの間のアクティブ通信セッションの１つ以上のリンクの性能特性に依存する可能性がある。リンク（又はホップ）が少なければ、レイテンシが少なくできるので、直接接続が好ましい場合があるが、専用リンクを提供する旧式の回路交換接続と違って、ＷＬＡＮを介した直接接続は、同じＷＬＡＮ上の他の無線デバイスと、かつ／又は、ＷＬＡＮを管理するアクセスポイントからのバックホール接続と帯域幅を共有する場合がある。ローカルＷＬＡＮ接続リンク及び／又はバックホール接続の性能が劣化した場合、コンパニオン無線デバイスを介した中継接続が好ましい場合がある。アクティブ通信セッションの性能並びに、関連無線デバイスの利用可能性及び機能（例えば、コンパニオン無線デバイスとの近接性）を監視することによって、アクセサリ無線デバイスは、直接接続と中継接続との間の、又はその逆のアクティブ通信セッションの乗り換えを要求することができる。
【００３１】
本明細書で説明する種々の実施形態によれば、用語「無線通信デバイス」、「無線デバイス」、「モバイルデバイス」、「移動局」、「無線局」、「無線アクセスポイント」、「ステーション」、「アクセスポイント」及び「ユーザ機器」（ＵＥ）は、本開示の種々の実施形態と関連付けられる手順を実行することが可能であり得る１つ以上の通常の消費者電子デバイスを説明するために、本明細書では使用される。種々の実装形態によれば、これらの消費者電子デバイスのうちの任意の１つは、セルラー電話又はスマートフォン、タブレットコンピュータ、ラップトップコンピュータ、ノートブックコンピュータ、パーソナルコンピュータ、ネットブックコンピュータ、メディアプレーヤデバイス、電子ブックデバイス、ＭｉＦｉ（登録商標）デバイス、ウェアラブルコンピューティングデバイス、並びに、無線ワイドエリアネットワーク（ＷＷＡＮ）、無線メトロエリアネットワーク（ＷＭＡＮ）、無線ローカルエリアネットワーク（ＷＬＡＮ）、無線パーソナルエリアネットワーク（ＷＰＡＮ）、近距離無線通信（ＮＦＣ）、セルラー無線ネットワーク、第４世代（４Ｇ）ＬＴＥ、ＬＴＥアドバンスド（ＬＴＥ−Ａ）、及び／あるいは、５Ｇ又は他の現在の若しくは将来開発される進化型セルラー無線ネットワーク上の通信に使用される１つ以上の無線通信プロトコルを介した通信を含むことができる無線通信機能を有する任意の他のタイプの電子コンピューティングデバイスに関し得る。
【００３２】
一部の実施形態では、無線デバイスはまた、無線通信システムの一部として動作することができ、無線通信システムは、例えばＷＬＡＮの一部としてアクセスポイント（ＡＰ）に相互接続された、及び／又は、例えばＷＰＡＮ及び／又はＷｉ−Ｆｉ  ｄｉｒｅｃｔ接続などの「アドホック」無線ネットワークの一部として互いに相互接続された、ステーションと称することもできるクライアントデバイス、又はクライアント無線デバイスのセットを含むことができる。一部の実施形態では、クライアントデバイスは、例えば、無線ローカルエリアネットワーク通信プロトコルに従ったＷＬＡＮ技術を介して通信可能な任意の無線デバイスとすることができる。一部の実施形態では、ＷＬＡＮ技術は、Ｗｉ−Ｆｉ（登録商標）（又はより一般的にはＷＬＡＮ）無線通信サブシステム又は無線機を含むことができ、Ｗｉ−Ｆｉ無線機は、米国電気電子学会（ＩＥＥＥ）８０２．１１技術、例えば、ＩＥＥＥ  ８０２．１１ａ、ＩＥＥＥ  ８０２．１１ｂ、ＩＥＥＥ  ８０２．１１ｇ、ＩＥＥＥ  ８０２．１１−２００７、ＩＥＥＥ  ８０２．１１ｎ、ＩＥＥＥ  ８０２．１１−２０１２、ＩＥＥＥ  ８０２．１１ａｃ、ＩＥＥＥ  ８０２．１１ａｘ又は他の現在の若しくは将来開発されるＩＥＥＥ  ８０２．１１技術のうちの１つ以上などを実装することができる。
【００３３】
それに加えて、本明細書で説明されている無線デバイスは、異なる第３世代（３Ｇ）及び／又は第２世代（２Ｇ）ＲＡＴを介しても通信可能なマルチモード無線通信デバイスとして構成されてもよいことを理解されたい。これらのシナリオでは、マルチモード無線デバイス又はＵＥは、より低速なデータレート及び／又はより低いスループットを提供する他の旧式の３Ｇネットワークに比べて、より高速なデータレート及び／又はより高いスループットを提供するＬＴＥネットワークへの接続を優先するように構成されてもよい。例えば、一部の実装形態では、マルチモード無線デバイス又はＵＥは、ＬＴＥ及びＬＴＥ−Ａネットワークが利用できないとき、旧式の３Ｇネットワーク、例えば、進化型高速パケットアクセス（ＨＳＰＡ＋）ネットワーク又はコード分割多重アクセス（ＣＤＭＡ）２０００  Ｅｖｏｌｕｔｉｏｎ−Ｄａｔａ  Ｏｎｌｙ（ＥＶ−ＤＯ）ネットワークにフォールバックするように構成されてもよい。
システム
【００３４】
図１Ａは、共有された無線媒体、すなわちＷＭ、１５０を使用する例示的なＷＬＡＮシステム１００を図示している。ＷＬＡＮシステム１００は、ＡＰ１１０と１つ以上のＳＴＡとを含んでいる。例えば、ＷＬＡＮシステム１００は、ＳＴＡ１０１、ＳＴＡ１０２、及びＳＴＡ１０３を含むことができる。ＳＴＡ１０３は、ユーザ１３３と通信しているものとして図示されている。ユーザ１３３とＳＴＡ１０３との間の入出力は総称して参照番号１４３によって表現されている。ＡＰ１１０は、例えば、所定の帯域幅の１つ以上のＩＥＥＥ  ８０２．１１チャネル上で通信することができる。各チャネルは、上記したようにＲＵを構成するトーン又は副搬送波の数を表すことができる（図４Ａ及び図４Ｂも参照）。時間とともに、ＡＰ１１０は、所与の１つ以上のチャネル上でＲＵを用いて図１ＡのＳＴＡと通信することができる。ＡＰ１１０はＷＭ１５０の現在の使用及び切迫した使用を判定することができる。この判定に基づいて、ＡＰ１１０及び他のＳＴＡは共有ＷＭを使用することができる。
【００３５】
ＳＴＡ１０１は、本明細書で基本帯域幅ＳＴＡと称される２０ＭＨｚのＳＴＡとすることができる。基本帯域幅ＳＴＡは、単一のチャネル、例えば、単一の２０ＭＨｚチャネル上で動作する。ＳＴＡ１０３は、本明細書ではまとめて高帯域幅ＳＴＡと称される４０ＭＨｚ、６０ＭＨｚ、又は８０ＭＨｚのＳＴＡとすることができる。高帯域幅ＳＴＡは、１つ以上のチャネル、例えば、２つ以上の２０ＭＨｚチャネル上で同時に動作可能である。本明細書に提示される実施形態によってＷＭ１５０を効率的に使用する一例として、ＳＴＡ１０１は、例えば、輻輳したプライマリチャネルから、比較的輻輳されていないセカンダリチャネルに移動することができる。
【００３６】
図１Ｂは領域１７０内のＢＳＳ１１５及びＢＳＳ１２５を図示している。ＢＳＳ１１５は図１ＡのＡＰ１１０と、ＳＴＡ１０１、１０２、及び１０３とを含む。ＢＳＳ１２５は、ＡＰ１２０とＳＴＡ１０４とを含む。一部の例では、ＢＳＳ１２５は、例えば、（ＳＴＡ１０２のような）ＳＴＡがＡＰ１１０とＡＰ１２０の両方を検出できるという点で、ＢＳＳ１１５に対して重畳するＢＳＳ（ＯＢＳＳ）である。別途記載のない限り、本願で検討されるイベント、信号、タイミング及び周波数の使用はＢＳＳ１１５に言及している。
使用されない帯域幅になる典型的なシグナリング
【００３７】
いくつかの典型的なＷＬＡＮシステムでは、ＡＰは、４０ＭＨｚ、６０ＭＨｚ、又は８０ＭＨｚなどの高い（又は幅広い）帯域幅チャネル上で送信する。いくつかのＳＴＡは、２０ＭＨｚの帯域幅で（例えば、単一のチャネル上で）無線信号を送信かつ受信することができるだけである。いくつかのシステムでは、これらの２０ＭＨｚのＳＴＡ（本明細書では「基本帯域幅」デバイス又はＳＴＡとも称される）は、プライマリチャネル上の２０ＭＨｚ帯域幅内でＲＵを用いて送信かつ受信することによって広域幅ＯＦＤＭＡに参加するが、４０／６０／８０ＭＨｚの残りは、ＡＰによって高帯域幅ＳＴＡに割り当てられる。専門用語に関し、８０ＭＨｚ以上で動作可能なＳＴＡは、本明細書では８０ＭＨｚのＳＴＡと称される。以下に、ＳＴＡ１０１及び１０２は２０ＭＨｚのＳＴＡとして、ＳＴＡ１０３は４０ＭＨｚのＳＴＡとして例を示す。
【００３８】
図２は、２つの基本帯域幅（例えば、２０ＭＨｚ）チャネルＣ1及びＣ2を伴うチャネル媒体の使用例を図示している。ｘ軸２０１は時間軸である。ｙ軸２０２は周波数軸である。一部の実施形態では、Ｃ1はプライマリ２０ＭＨｚチャネルであり、Ｃ2はセカンダリ２０ＭＨｚチャネルである。一般に、１６０ＭＨｚのＷＬＡＮシステム帯域幅の場合、８つの２０ＭＨｚチャネルＣ1、Ｃ2、．．．、Ｃ8が存在するので、これら２０ＭＨｚチャネルのうち任意の１つを具体的に示すのに３ビットが必要である。２０ＭＨｚＢＳＳでは、Ｃ1がプライマリチャネルである場合、Ｃ2、Ｃ3、．．．Ｃ8はすべてセカンダリ２０ＭＨｚチャネルである。
【００３９】
基本帯域幅ＳＴＡの例は２０ＭＨｚのＳＴＡである。２０ＭＨｚのＳＴＡは２０ＭＨｚトーンプランを用いてデータを送信かつ受信することができる（図４Ａ参照）。高帯域幅（例えば、４０ＭＨｚ）ＳＴＡは、４０ＭＨｚ（又はそれ以上）のトーンプランを用いてこれらのチャネルのうち２つ（又はそれ以上）上で送信かつ受信することができる（図４Ｂ参照）。ＴＧＡＸは２０ＭＨｚ、４０ＭＨｚ及び他のトーンプランの詳細を記載している。
【００４０】
３つの全体的なエポックが図２に示され、その図は４０ＭＨｚのＢＳＳ内のＷＭ１５０の典型的な使用を図示している。ｔ1からｔ2までの時間の間、ＡＰ１１０はＳＴＡ１０３に送信し（送信２１３）、ＳＴＡ１０２に送信し（送信２１２）、そしてＳＴＡ１０１に送信する（送信２１１）。送信２１３、２１２及び２１１は全体として、４０ＭＨｚトーンプランを用いた単一の広域幅（又は高帯域幅）送信を表す（例えば、図４Ｂ参照）。
【００４１】
時間ｔ2では、ＳＴＡ１０１及びＳＴＡ１０２は両方ともＤＬデータを保留しており、単一の２０ＭＨｚのＰＰＤＵでデータすべてを配信するのに帯域幅が十分ではない。また、時間ｔ2では、ＳＴＡ１０３はＤＬデータ用のＷＭ１５０を必要としていないし、ＵＬデータ用も必要としない。通常のシステムでは、ＳＴＡ１０１は、プライマリ２０ＭＨｚチャネル上、本例ではＣ1上に置かれなければならない。ゆえに、ｔ1では、送信２２２及び送信２２１が単一の２０ＭＨｚのＰＰＤＵとして発生し、Ｃ2に対応する帯域幅は、図２に記すように使用されていない。ｔ3では、（基本帯域幅と記した）２０ＭＨｚプライマリチャネルＣ1上での後続する送信２３１が発生し、保留中のデータをＳＴＡ１０１に配信する。
【００４２】
図２に図示する使用されていない帯域幅にアドレス指定する前に、チャネルアクセスに関するいくつかの専門用語が、図３を検討中に導入され、トーンプランに関するいくつかの専門用語が、図４Ａ及び図４Ｂを検討中に導入されるであろう。
シングルユーザ（ＳＵ）のチャネル接続
【００４３】
図３は、ＳＴＡ１０１が、例えば、送信すべきＵＬデータを有する場合、そのＳＴＡのシングルユーザのＥＤＣＡ動作を図示している。時間ｔ1では、ＳＴＡ１０１がＷＭ１５０を感知するイベント３５０が発生する。つまり、ＳＴＡ１０１は、Ｃ1、ＢＳＳ１１５のプライマリ２０ＭＨｚチャネルに中心がある２０ＭＨｚ帯域をリッスンする。ＳＴＡ１０１はまた、１つ以上のネットワーク割り当てベクトル（ＮＡＶ）値（例えば、ＢＳＳ１１５の、又は１２５のような重複するＢＳＳの）をチェックする。ｔ2では、ＷＭ１５０がＣ1でフリーであると判定した後、ＳＴＡ１０１はアップリンク送信３５１を送信する。時間ｔ2でのＵＬ送信の衝突が、別のＳＴＡと生じる場合もあるし、生じない場合もある。例えば、ＳＴＡ１０２からの送信との送信３５１の衝突は、ＳＴＡ１０２もｔ2の前の時間にＥＤＣＡを評価していた場合、特定の環境下で発生する場合がある。送信イベントは、セカンダリ２０ＭＨｚチャネル上で発生する場合があり、それは、「高帯域幅」又は、例えば、４０ＭＨｚチャネルの一部分である。Ｃ2でのこれらのイベントがＳＴＡ１０１には見えていないのは、ＳＴＡ１０１がＣ1に中心がある２０ＭＨｚ帯域（「基本帯域幅」）に置かれている（又はチューンされる）からである。
トーンプラン
【００４４】
図４Ａは、ＴＧＡＸに記載された２０ＭＨｚトーンプラン４００を図示し、それは２０ＭＨｚのスペクトルマスク（図示せず）にも対応する。図４Ａは、本願では例示的な基本帯域幅副搬送波構成と称される。様々なＲＵ構成が参照番号４０１（９つの２６個トーンＲＵ）、４０２（４つの５２個トーンＲＵ及び１つの２６個トーンＲＵ）、４０３（２つの１０６個トーンＲＵ及び１つの２６個トーンＲＵ）及び４０４（１つの２４２個トーンＲＵ）で図示されている。
【００４５】
図４Ｂは、ＴＧＡＸに記載された４０ＭＨｚトーンプラン４５０を図示し、それは４０ＭＨｚのスペクトルマスク（図示せず）にも対応する。図４Ｂは高帯域幅副搬送波構成の例である。様々なＲＵ構成が参照番号４５１（１８個の２６個トーンＲＵ）、４５２（８つの５２個トーンＲＵ及び２つの２６個トーンＲＵ）、４５３（４つの１０６個トーンＲＵ及び２つの２６個トーンＲＵ）、４５４（２つの２４２個トーンＲＵ）及び４５５（１つの４８４個トーンＲＵ）で図示されている。ＴＧＡＸの６０ＭＨｚ及び８０ＭＨｚトーンプランはまた、本願に関して高帯域幅副搬送波構成である。
【００４６】
２０ＭＨｚのＳＴＡ（本明細書では「基本帯域幅ＳＴＡ」とも称される）は４０ＭＨｚのＰＰＤＵのＲＵのサブセットを復調することができる。つまり、２０ＭＨｚのＳＴＡは、図４Ｂの左端２０ＭＨｚ又は図４Ｂの右端２０ＭＨｚ内にある図４ＢのＲＵを復調することができる。４０ＭＨｚ、６０ＭＨｚ、又は８０ＭＨｚのＳＴＡ（本明細書では「高帯域幅ＳＴＡ」とも称される）は、図４Ｂに表されたトーンプランを用いて構築されたＰＰＤＵ内のＲＵのすべてを復調することができる。
論理
【００４７】
一部の実施形態では、ＳＴＡ又はＡＰのいずれかは、セカンダリチャネルへのＳＴＡの移動又は交換を開始することができる。一部の実施形態では、この移動は動作モード指示、目標起動時間（ＴＷＴ）情報要素（ＩＥ）、ＨＥ制御フィールド内の制御識別子若しくはＩＤ及び／又は２０ＭＨｚ−動作要求／応答フレームを有するもののうちいずれか／すべてを用いたシグナリングに基づくものである。一部の他の実施形態では、他のシグナリングを使用することができる。一部の実施形態では、ＳＴＡは、要求の肯定応答を受信した（又は場合によっては、送信した）後、要求された又は割り振られたチャネル上でＡＰとの通信を始めるだけである。
【００４８】
図５は基本帯域幅ＳＴＡでＷＭ１５０を効率的に使用する例示的な論理５００を図示している。論理５００の初期条件情報が図５の５０２に記載されている。ＳＴＡは、第１の帯域幅（「基本帯域幅」、例えば、２０ＭＨｚ）を有する信号を復調のみするように構成されている。ＳＴＡ及び別のＳＴＡはＡＰを含むＢＳＳのメンバーである。ＳＴＡはプライマリチャネル（例えば、プライマリ２０ＭＨｚチャネル）上で動作している。
【００４９】
５０４では、ＡＰはＳＴＡに要求を送信する。要求は、ＡＰがＳＴＡに別の特定の基本帯域幅（例えば、セカンダリ２０ＭＨｚチャネル）に移動（再チューン）させたいことを示している。要求はまた、例えば、ＳＴＡに使用されるセカンダリチャネルを識別する３ビットのインデックスまでどのチャネルが移動すべきかを示す情報も含む。あるいは、以下で説明するように、８ビットのビットマップが使用されてもよい。５０６では、ＡＰは、ＳＴＡから要求の肯定応答を受信する。一部の実施形態では（図５では図示せず）、ＳＴＡは移動を要求し、またＡＰは移動を確定（又は承認）するか、又はその移動を拒絶する。
【００５０】
５０８では、ＡＰは、ＰＰＤＵのデータ部分をＳＴＡにアドレス指定する。５１０では、ＡＰはＰＰＤＵをＳＴＡに、また、例えば、別のＳＴＡに送信する。ＰＰＤＵはプライマリ周波数帯域及びセカンダリ周波数帯域を占有する。ＰＰＤＵのデータ部分は、セカンダリ周波数帯域内に存在する第１の複数のＰＰＤＵ副搬送波によって搬送される。
セカンダリチャネル上でのＡＰから基本ＳＴＡへの送信
【００５１】
図６は、図５の論理の一部を反映する例示的なシグナリングシーケンス６００を図示している。ｔ1では、送信２１１、送信２１２及び送信２１３を含む単一のＰＰＤＵの送信が図２のように行われる。ｔ2では、送信６１３及び送信６３１を含む単一のＰＰＤＵの送信が行われる。ｔ3では、ＳＴＡ１０３への高帯域幅（例えば、４０ＭＨｚ）送信６３３が行われる。ｔ4では、ＡＰ１１０が、セカンダリチャネルＣ2上でメッセージ又は（太い輪郭で示された）基本帯域幅ＳＴＡ１０１への送信６４１を送信し、送信６４１は、プライマリチャネル、Ｃ1（例えば、プライマリ２０ＭＨｚチャネル）上でのＳＴＡ１０２への送信６４２も含む単一のＰＰＤＵの一部分である。ＷＭ１５０の帯域幅は、ＳＴＡ１０１をセカンダリチャネルＣ2に移動することによって効率的に使用されている。シグナリング態様は図６には明示的に示されていない。
【００５２】
非プライマリチャネルを使用するＳＴＡが、マルチユーザ（ＭＵ）送信及び受信を使用できるだけなのは、（図３のＣ１上のＳＴＡと対照的に）プライマリチャネルの状況がわからないからである。非プライマリチャネル上で動作するＳＴＡは、共有ＷＭ１５０内の衝突からの送信の保護についてＡＰに依存している。ＥＤＣＡはトリガーフレームに応じて依然として必要とされている。ＳＴＡは、セカンダリチャネル上でＯＢＳＳパケットを正しく受信する場合、ＮＡＶを設定することができる。緊急のトラフィックを送信する必要がある場合には（図３のＣ1上のＳＴＡ参照）、ＳＴＡは常にプライマリ２０ＭＨｚチャネル（基本帯域幅チャネル）に切り替えることができる。
【００５３】
ＡＰの観点からは、１つ以上の選択されたＳＴＡをセカンダリチャネルに移動することにより、ＡＰはロードバランシングをする、干渉管理をする、かつ／又はスペクトル利用を最大化することができるようになる。
【００５４】
ＳＴＡの観点からは、例えば、ＷＭを感知するのにエネルギーが費やされないので、セカンダリチャネルを移動することにより、バッテリ節電につながる場合がある（図３と対比）。より多くの送信がスケジュールに基づいて行われることになるので、少ない衝突しか発生せず、メッセージを配信／受信するレイテンシ（又は時間遅延）は改善されることになる。これは、ネットワーク効率改善に相当する。
セカンダリチャネル上での基本ＳＴＡへの送信
【００５５】
図７は、Ｃ2のようなセカンダリチャネル、例えば、セカンダリ２０ＭＨｚチャネル上での図６の送信６４１のような送信をサポートする例示的な詳細を記載する。ｔ1では、ＡＰ１１０はプライマリチャネルＣ1上でメッセージ７１１を使用して、セカンダリチャネルに再チューンする（又は移動させる）ようにＳＴＡ１０１に頼み（又は命じ）、またＡＰ１１０はチャネル識別子を提供する。例えば、識別子はチャネルＣ2を示すことができる。ｔ2では、ＳＴＡ１０１は、移動の確定７２１（肯定応答）をＡＰ１１０に送信する。ｔ3では、ＡＰ１１０は、送信７３１及び送信７３２をサポートする副搬送波を含む単一の高帯域幅ＰＰＤＵ（例えば、４０ＭＨｚのＰＰＤＵ）を送信する。送信７３１は、チャネルＣ2に関連付けられた基本帯域幅内にある。ｔ4では、ＡＰ１１０はＣ2上でトリガー７４１をＳＴＡ１０１に送信する。このトリガーメッセージはまた、Ｃ1上でＳＴＡ１０２に対する７４２としても示されている。トリガー７４１及び７４２は単一のＰＰＤＵを占有し、単一の（広帯域）トリガーメッセージと称されてもよい。ｔ5では、ＳＴＡ１０１は、メッセージ７５１内のＵＬデータを用いてトリガーＰＰＤＵに応答し、ＳＴＡ１０２はメッセージ７５２内のＵＬデータを用いてトリガーＰＰＤＵに応答する。
【００５６】
本開示によって可能になる送信７３１、７４１及び７５１は、図７の太い箱の輪郭で強調されている。
【００５７】
ＳＴＡがセカンダリチャネル上でトリガー（例えば、トリガー７４１）を受信するために、一部の実施形態では、トリガーは非ＨＴ複製ＰＰＤＵフォーマットを用いて実装される。その後、受信ＳＴＡはこのＰＰＤＵを復号し、トリガーイベントを認識する。一部の実施形態では、ＡＰ１１０がトリガーフレーム内でＲＵをＳＴＡに割り当てるとき、ＡＰ１１０は、利用可能なＲＵのすべてをロードするのに十分なトラフィック要求がない場合、すべてのＲＵを割り振る必要はない。
【００５８】
チャネル情報は、いくつかの方法で信号を送ることができる。チャネル情報のシグナリングについての更なる検討は図９Ａ〜図９Ｅに関し、以下に記載する。
セカンダリチャネルでの目標起動時間
【００５９】
図８は、ＡＰ１１０が要求し、ＳＴＡ１０１が、ＡＰ１１０に示されるセカンダリチャネルＣ2への再チューンを確定するメッセージ７１１及び７２１を開始する例示的な実施形態を記載する。時間ｔ1及びｔ2での本シーケンスは、図７と同じである。ｔ3では、ＡＰ１１０は、メッセージ８３１の中で、情報ＴＷＴ８０１を送信する。メッセージ８３１は、プライマリ２０ＭＨｚチャネルＣ1上でのＳＴＡ１０２への送信７３２も含む単一の広帯域又は高帯域幅ＰＰＤＵの一部分である。情報ＴＷＴ８０１により、ＳＴＡ１０１は、時間ｔ5までスリープすべきことを学習する。
【００６０】
セカンダリチャネル上のＳＴＡのみがトラフィックを有する場合、プライマリチャネル上でチャネルを感知する他のＳＴＡは、送信が行われていないことを推論することができる。しかし、送信はセカンダリチャネル上で行われている可能性がある。一部の実施形態では、ＡＰは、プライマリチャネル上でタイプＭＡＣフレームの一部分としてプリアンブルシーケンスを送信するであろう。プリアンブルの後、一部の実施形態では、ＡＰはプライマリチャネル上でペイロードを送信せず、あるいはダミーペイロード又はパケットを送信する。プリアンブルは、セカンダリチャネル上で、その送信と合わせて送信されてもよい。
【００６１】
時間ｔ4では、イベント８４１は、時間間隔ｔ4からｔ5の間の、ＳＴＡ１０１がスリープしていること、例えば、無線周波数回路を動作させないことに対応して図８に示されている。この時間（ｔ4からｔ5）において、イベント８４０はＡＰ１１０によるＳＴＡ１０２への送信を表している。一部の実施形態では、イベント８４０はプライマリチャネルＣ1の上で送信されたＲＵに対応し、そのＲＵはプリアンブルの少なくとも一部、それに続くダミーペイロードの少なくとも一部を含んでいる。時間ｔ5では、ＳＴＡ１０１が起動し、ＡＰ１１０から送信８５１を受信する。
【００６２】
図８は、ＡＰがプライマリチャネルＣ1上でデータを送信していないｔ5での状況を図示している。このシナリオでは、ＡＰ１１０は、ＭＡＣフレームのプリアンブル信号部分を送信することができ、これは、図８の送信８４２に含まれている。また、送信８４２は、プリアンブルに続くダミーペイロードデータを含んでもよい。
シグナリングフォーマット
【００６３】
図９Ａ、図９Ｂ、図９Ｃ、図９Ｄ及び図９Ｅは、セカンダリチャネルへの変更をシグナリングするのに有用な例示的なＭＡＣフレームフォーマットを図示している。これらのシグナリングフォーマットのうち１つ以上を使用することによって、ＡＰは４０／６０／８０ＭＨｚのＰＰＤＵで２０ＭＨｚのＳＴＡ送信を別の２０ＭＨｚのＳＴＡ送信と混合することができる。したがって、すべてのチャネル帯域幅をすべてのＰＰＤＵで使用できるので、チャネルはより効率的かつ柔軟に利用される。図９ＡのＭＡＣフレーム９０１では、プリアンブルフィールド９０１の後に、制御値９０３を含む１つ以上のフィールド９０２が続く。フィールド（単数又は複数）９０４は１つ以上の識別子９０５を含み得る。フィールド（単数又は複数）９０６は１つ以上の持続時間９０７を含み得る。フィールド９０８はフレームボディ９０９を含む。フィールド９１０はＦＣＳ値９１１を含む。ＭＡＣヘッダ９１２は、ＭＡＣフレーム９０１のサブセットとして示され、図９Ａのフィールド９０２〜フィールド９０８を包含する。
【００６４】
少し離れるが、本願は、頻繁に２０ＭＨｚチャネルに言及している。これらは、図面の基本帯域幅の注釈に相当する。
【００６５】
図９Ｂの値９２４は、ＭＡＣフレーム９０１の１つ以上の制御値９０３としてフィールド９０２内で送信され得る動作モード値を示す。ＨＴ制御フィールドのＨＥ変形（HE variant）は動作モード指示を含むことができ、それは、３つの予約ビットを有する。３つの予約ビットは、１６０ＭＨｚ（８０＋８０ＭＨｚ）全体、例えば、Ｃ1、．．．、Ｃ8をカバーする８つのチャネルのうちいずれか／すべてを示すことができる。一部の実施形態では、ＳＴＡは、受信動作モード指示又は送信動作モード指示のいずれかを使用して、ＡＰが特定のセカンダリチャネルを割り振ることを要求することができる。一部の実施形態では、ＳＴＡ要求の承認又は肯定応答を受信した後のみ、ＳＴＡは要求された特定のチャネルに移動する。
【００６６】
セカンダリチャネル識別情報は、インデックス値又はビットマップを用いて本明細書に記載された実施形態のいずれかで送信されてもよい。例えば、８つの値のうち１つを示すインデックス値の場合、例示的なインデックス値は、０００、００１、０１０、０１１、１００、１０１、１１０及び１１１である。８つの値のうち１つを示す例示的なビットマップ値は、０００００００１、００００００１０、０００００１００、００００１０００、０００１００００、００１０００００、０１００００００及び１０００００００である。
【００６７】
図９Ｃの値９２５は、ＭＡＣフレーム９０１の１つ以上の制御値９０３としてフィールド９０２内で送信され得る１つ以上のＴＷＴパラメータを示す。セカンダリチャネル上のＳＴＡはマルチユーザ送信及び受信を実行できるだけなので、図３のＳＴＡとは対照的に、ＳＴＡは、ＷＭを感知する時間を全く費やす必要はない。ＡＰは、ＳＴＡに対する目標起動時間（ＴＷＴ）を確立することができるので、ＳＴＡはＭＵパケット又はトリガーフレームがいつ到着するかを知るであろう。
【００６８】
ＴＷＴ情報要素（ＩＥ）フォーマットは、要素ＩＤ、長さ及び制御フィールドのうちいずれか／すべてを含むことができる。ＴＷＴ要素はまた、ブロードキャストフィールドが１のときに設定された各ＴＷＴパラメータに対して繰り返され得る以下の要素、すなわち、要求タイプ、ＴＷＴ、ＴＷＴグループ割り振り、公称最小ＴＷＴ起動持続時間、ＴＷＴ起動間隔の仮数部、ブロードキャストＴＷＴ  ＩＤ、ＴＷＴチャネル及び／又はＮＤＰページングのうちいずれか／すべてを含むことができる。ＴＷＴ情報要素は、ＴＷＴチャネルと呼ばれるフィールドを含み、それにより、ＳＴＡがＴＷＴ  ＳＰ（サービス期間）内に異なるチャネルに一時的に移動できるようになる。一部の実施形態では、ＴＷＴチャネルは２０ＭＨｚチャネルインデックス又はビットマップ（例えば、チャネルＣ1、．．．、Ｃ8のインデックスのうち１つ）を示すように、ＴＷＴ  ＩＥの３ビットを割り当てるように規定されている。
【００６９】
図９Ｄの値９２６は、ＭＡＣフレーム９０１の１つ以上の制御値９０３としてフィールド９０２内で送信され得る１つ以上の制御ＩＤパラメータを示す。一部の実施形態では、ＨＥ制御フィールド内の制御ＩＤは定義されている。一部の実施形態では、これはＨＴ制御フィールドのＨＥ変形である。制御サブフィールドフォーマットは、例えば、４ビットの、制御ＩＤ、それに続く可変長を有する制御情報を含むことができる。例えば、一部の実施形態では、ＨＥ制御フィールド内の７の制御ＩＤ値はセカンダリチャネルへの移動を示す。制御ＩＤが７のときの制御フィールドのコンテンツは、一部の実施形態では、ＡＰがＳＴＡを移動するように要求している２０ＭＨｚチャネルを示すチャネルインデックス又はビットマップである。一部の実施形態では、制御フィールドのコンテンツは、このフレームがチャネル移動か、それとも応答かどうかの指示を含んでいる。また、フレームが確定か、それとも拒絶かという指示は一部の実施形態では含まれている。拒絶指示を含むこれらのフレームの場合、一部の実施形態では、拒絶の理由コードが含まれている。
【００７０】
図９Ｅは、ＭＡＣフレームのアクションフレーム９５１の実現の模式図である。一部の実施形態では、アクションフレーム９５１は、プリアンブル９０１、１つ以上の制御値９１３、１つ以上の識別子９１５、１つ以上の持続時間９１７、フレームボディ９１９及び／又はＦＣＳ９２１のうちいずれか／すべてを含む。一部の実施形態では、２０ＭＨｚ専用パラメータセットと呼ばれる情報要素及び、２０ＭＨｚ動作要求／応答フレームと呼ばれる新規のアクションフレームは、ＩＥ、つまり２０ＭＨｚ専用パラメータセットを含む。ＩＥは、要求を受信したパーティによって確認又は肯定応答された場合にＳＴＡが移動する２０ＭＨｚチャネルのインデックス又はビットマップを含む。例えば、ＳＴＡから送信されたとき、ＡＰは要求を受信するパーティであり、ＩＥは、ＳＴＡが交換を要求しているチャネルを示す。一部の実施形態では、ＡＰから送信されたとき、ＩＥは、ＳＴＡ（２０ＭＨｚチャネル割り振りの受信者）を、示された２０ＭＨｚチャネルに割り振る。一部の実施形態では、受信パーティが要求又は割り振りを肯定応答した後のみ、ＡＰ及びＳＴＡは、ＳＴＡが移動している２０ＭＨｚチャネル上で互いに通信を開始する。
【００７１】
上記で検討したシグナリングフィールドに加えて、一部の実施形態では、２０ＭＨｚ機能ビットが、上記で検討したように、シグナリングメッセージのサポート及びセカンダリチャネル上での動作を示すためにＳＴＡによってＨＥ機能情報要素内でアサートされる。
代表的な例示的な装置
【００７２】
図１０は、一部の実施形態に係る、本明細書で記載する様々なコンポーネント及び技法を実装するのに使用され得る例示的なコンピューティングデバイス１０００のブロック図である。特に、例示的なコンピューティングデバイス１０００の詳細図は、図１Ａ及び後続する図面に図示されたＳＴＡ１０１、ＳＴＡ１０２、ＳＴＡ１０３、ＳＴＡ１０４、及び／又はＡＰ１１０に含まれ得る様々なコンポーネントを図示している。図１０に示すように、コンピューティングデバイス１０００は、コンピューティングデバイス１０００の動作全般を制御するためのマイクロプロセッサ又はコントローラを表すプロセッサ１００２を含むことができる。コンピューティングデバイス１０００はまた、コンピューティングデバイス１０００のユーザがコンピューティングデバイス１０００と相互作用できるようにするユーザ入力デバイス１００８も含むことができる。例えば、ユーザ入力デバイス１００８は、ボタン、キーパッド、ダイヤル、タッチスクリーン、オーディオ入力インタフェース、ビジュアル／画像キャプチャ入力インタフェース、センサデータなどの形態をとる入力など、様々な形態をとることができる。さらにまた、コンピューティングデバイス１０００は、プロセッサ１００２によって制御されることにより、ユーザに情報（例えば、入ってくる、出ていく、又はアクティブ通信セッションに関連する情報）を表示することのできるディスプレイ１０１０（スクリーンディスプレイ）を備える。データバス１０１６は、少なくとも、記憶デバイス１０４０、プロセッサ１００２、及びコントローラ１０１３の間のデータ転送を容易にすることができる。コントローラ１０１３は、機器制御バス１０１４を通じて様々な機器とインタフェースし、それらを制御するのに用いることができる。コンピューティングシステム１０００は、データリンク１０１２に連結するネットワーク／バスインタフェース１０１１も備えることができる。無線接続の場合には、ネットワーク／バスインタフェース１０１１は無線送受信機及び／又はベースバンドプロセッサなどの、無線回路を含み得る。
【００７３】
コンピューティングデバイス１０００はまた、単一の記憶装置又は複数の記憶装置（例えば、ハードドライブ、メモリモジュールなど）を含み得る記憶デバイス１０４０も含み、記憶デバイス１０４０内の１つ以上の論理的かつ／又は物理的パーティションを管理する記憶装置管理モジュールを含む。一部の実施形態では、記憶デバイス１０４０は、フラッシュメモリ、半導体（ソリッドステート）メモリ等を含むことができる。コンピューティングデバイス１０００は、ランダムアクセスメモリ（「ＲＡＭ」）１０２０及び読み取り専用メモリ（ＲＯＭ）１０２２も含み得る。ＲＯＭ１０２２は、実行されるべきプログラム、ユーティリティ、又はプロセスを不揮発性方式で記憶することができる。ＲＡＭ１０２０は、揮発性データ記憶装置を提供することができ、コンピューティングデバイス１０００の動作に関連する命令を記憶する。
【００７４】
記載された実施形態の様々な態様、実施形態、実装形態、又は特徴は、個別に又は任意の組み合わせで用いることができる。記述される実施形態の各種の態様をソフトウェア、ハードウェア、又はハードウェアとソフトウェアの組み合わせにより実施することができる。説明した実施形態はまた、コンピュータ可読媒体上のコンピュータ可読コードとして具現化することができる。一部の実施形態では、コンピュータ可読媒体は非一時的コンピュータ可読媒体である。このコンピュータ可読媒体は、後でコンピュータシステムによって読み込むことが可能なデータを記憶することができる、任意のデータ記憶デバイスである。コンピュータ可読媒体の例としては、読み取り専用メモリ、ランダムアクセスメモリ、ＣＤ−ＲＯＭ、ＤＶＤ、磁気テープ、ハードストレージドライブ、ソリッドステートドライブ及び光学的データ記憶デバイスが挙げられる。コンピュータ可読コードが分散形式で記憶及び実行されるように、コンピュータ可読媒体をネットワークに結合されたコンピュータシステムにわたって分散させることもできる。
【００７５】
前述の説明では、記述する実施形態の完全な理解をもたらすために、説明を目的として特定の専門用語を使用した。しかし、記述する実施形態を実践するために、特定の詳細が必要とされないことが当業者にとっては明らかであろう。それゆえ、上述の具体的な実施形態の説明は、例示及び説明の目的のために提示される。それらの説明は、網羅的であることも、又は開示される厳密な形態に、説明される実施形態を限定することも意図するものではない。上記の教示を考慮すれば、多くの修正形態及び変形形態が可能であることが当業者にとっては明らかであろう。
【図１Ａ】
2018170759.tif 000003
【図１Ｂ】
2018170759.tif 000004
【図２】
2018170759.tif 000005
【図３】
2018170759.tif 000006
【図４Ａ】
2018170759.tif 000007
【図４Ｂ】
2018170759.tif 000008
【図５】
2018170759.tif 000009
【図６】
2018170759.tif 000010
【図７】
2018170759.tif 000011
【図８】
2018170759.tif 000012
【図９Ａ】
2018170759.tif 000013
【図９Ｂ】
2018170759.tif 000014
【図９Ｃ】
2018170759.tif 000015
【図９Ｄ】
2018170759.tif 000016
【図９Ｅ】
2018170759.tif 000017
【図１０】
2018170759.tif 000018
【外国語明細書】
2018170759000001.pdf